(57)【要約】【課題】  蓋の開閉をより簡易的にして作業の効率化を図ることができる蓋付の収容ボックスを提供する。【解決手段】  本発明のパーツボックス１においては、蓋３に設けられた板バネ４０を箱体２の外面に当てて押圧しながら蓋３を箱体２に弾性的に組み付けるように構成される一方、板バネ４０を押して蓋３と箱体２との嵌合状態を解除することによって蓋３を箱体２から容易に取り外すことができるように構成されている。すなわち、蓋３に設けた板バネ４０を押圧するという簡易な操作によって蓋３を箱体２から容易に脱着でき、蓋３の開閉作業の効率化を図ることができる。【選択図】  図２
2005206208.tif 000002
【特許請求の範囲】
【請求項１】
内部に収容部を構成する箱状の本体の上端に開口部を有する箱体と、前記開口部を覆うように前記箱体の上端部に着脱可能に装着される蓋とを備えた収容ボックスであって、
前記箱体の上端部と前記蓋の前記箱体よりも外側の周縁部とにそれぞれ設けられた対向面のいずれか一方に、弾性変形可能な弾力材が設けられる一方、
前記弾力材と離れた前記蓋の周縁部に、前記箱体の方向に延びてその箱体の外面に当接可能な弾性部材が設けられ、
前記蓋の前記弾力材が位置する周縁部と前記弾性部材とにより、前記箱体の上端部を外側から内方に付勢して前記弾力材を弾性変形させ、前記蓋により前記箱体を挟持するようにして、前記蓋を前記箱体に固定するように構成され、
前記弾性部材を前記弾力材側に押して前記弾力材への押圧力をほぼ解除することにより、前記蓋を前記箱体から取り外すことができるように構成されたこと、
を特徴とする収容ボックス。
【請求項２】
前記箱体の上端部と前記蓋の前記箱体よりも外側の周縁部との対向面の、前記弾力材が設けられていない側に、前記弾力材側に突出した鍔部が形成され、
前記蓋を前記箱体に装着した際に、前記鍔部が前記弾力材に食い込むようにして押圧力を付与するように構成されたこと、
を特徴とする請求項１記載の収容ボックス。
【請求項３】
前記弾性部材は断面Ｌ字状の板バネからなり、その板バネの屈曲部のなす角が、その板バネが当接する前記蓋と前記箱体との接合部のなす角以下となるように構成されたことを特徴とする請求項１記載の収容ボックス。
【請求項４】
前記板バネが当接する前記蓋と前記箱体との接合部のなす角が鋭角となるように、前記箱体の少なくとも一部が傾斜して構成されたことを特徴とする請求項３記載の収容ボックス。
【請求項５】
前記箱体が、前記開口部を形成する上端部に前記蓋側に突出して設けられた突出部と、前記突出部に固定された前記弾力材とを備える一方、
前記蓋が、前記箱体の上端部との対向面を形成するとともに、前記突出部及び前記弾力材を挿通可能な貫通孔を備え、
前記貫通孔に前記突出部を挿通させつつ前記蓋を前記箱体に装着して、前記蓋の前記貫通孔の部分と前記弾性部材とにより前記箱体の上端部を外側から内方に付勢しつつ前記弾力材を弾性変形させることで、前記蓋を前記箱体に固定するように構成され、
前記弾性部材を前記弾力材側に押して前記弾力材への押圧力をほぼ解除することにより、前記突出部を前記貫通孔から離脱させて、前記蓋を前記箱体から取り外すことができるように構成されたこと、
を特徴とする請求項１記載の収容ボックス。
【発明の詳細な説明】
【技術分野】
【０００１】
本発明は、部品や小物を収容するための収容ボックスに関する。
【背景技術】
【０００２】
例えばプリント基板への部品組付け等のマニュアル組立作業においては、その部品を予め図８に示すようなパーツボックス１０１等に定量もしくは作業単位の数量を入れておき、作業時に倉庫から出庫する。このとき出庫されたパーツボックス１０１は、部品補充単位もしくは作業単位でキット化した状態で組立作業エリアに運搬され、作業者が作業オーダ単位で指定されたパーツボックス１０１から必要数部品を取出して、部品組付けを行う。
【０００３】
図９は図８のパーツボックス１０１のＥ−Ｅ断面に相当する分解断面図である。同図に示されるように、従来のパーツボックス１０１は、一般に運搬する際の振動や作業ミスにより部品が散らばらないように箱体１０２と蓋１０３とからなり、箱体１０２の開口部と蓋１０３を嵌め合わせて使用される。
【０００４】
しかし、このようなパーツボックス１０１の箱体１０２と蓋１０３との嵌合部１１０の構造は、蓋１０３が箱体１０２から容易に外れないように設計されているため、その嵌めあい公差が小さくて隙間が無い。このため、蓋１０３を開ける際に大きな引張力が加えられ、その勢い（反力）で部品を散逸させてしまうといった問題があった。
【０００５】
また、箱体の上端内周縁と蓋の外周縁にそれぞれ嵌合部を形成し、その蓋を箱体の上端部に弾性的に内挿嵌合させる構造も知られている（例えば特許文献１）。
しかし、このような構造も、蓋に外部から引張力を付与して弾性変形させて箱体から引き離す構成であるため、上述と同様の問題が発生する。
【０００６】
このような問題を回避又は抑制する構造として、例えば蓋をスライドさせるスライドタイプや、蓋をヒンジを介して箱体と接続するヒンジタイプなどがある。
ここで、前者のスライドタイプは、箱体上端部の対向する内壁にガイド用の溝やレールなどを設け、蓋を一方向に挿入又は離脱させるものである。また、後者のヒンジタイプは、蓋のヒンジとは反対側に形成したフックを箱体の上端部に突設した係止部に掛けとめるものである。
【０００７】
尚、上述した従来構成は特許文献１記載のものを除いては公知・公用の技術に基づくものであるため、先行技術文献情報については開示しない。
【特許文献１】登録実用新案第３００９７６１号公報
【発明の開示】
【発明が解決しようとする課題】
【０００８】
しかしながら、上記スライドタイプのものは、運搬時に蓋が箱体から外れないように蓋の保持を固くするための別の固定構造が必要となるため、蓋を外す際にかえって手間がかかる。また、作業ラインにおいては収容ボックスを多数隣接して配置させることがよくあるが、蓋を脱着させる際にはこれをスライドさせるための大きなスペースが必要となるため、このような状態では蓋の脱着が困難になるといった問題があった。
【０００９】
また、上記ヒンジタイプについては、蓋を取り外すべくそのフックを箱体の係止部から取り外す際に、フック部の大きさにもよるが、その引張力による部品の散逸の問題が発生する。また、ヒンジ構造では蓋を箱体から分離することができないため、収容ボックスを多数隣接して配置する場合には、蓋を開けた際にそれぞれの蓋が邪魔になってしまうといった問題があった。
【００１０】
本発明はこのような点に鑑みてなされたものであり、蓋の開閉をより簡易的にして作業の効率化を図ることができる蓋付の収容ボックスを提供することを目的とする。
【課題を解決するための手段】
【００１１】
本発明では上記問題を解決するために、図１〜図４に示すように、内部に収容部を構成する箱状の本体２１の上端に開口部を有する箱体２と、前記開口部を覆うように前記箱体２の上端部に着脱可能に装着される蓋３とを備えた収容ボックス１であって、前記箱体２の上端部と前記蓋３の前記箱体２よりも外側の周縁部とにそれぞれ設けられた対向面のいずれか一方に、弾性変形可能な弾力材２４が設けられる一方、前記弾力材２４と離れた前記蓋３の周縁部に、前記箱体２の方向に延びてその箱体２の外面に当接可能な弾性部材４０が設けられ、前記蓋３の前記弾力材２４が位置する周縁部と前記弾性部材４０とにより、前記箱体２の上端部を外側から内方に付勢して前記弾力材２４を弾性変形させ、前記蓋３により前記箱体２を挟持するようにして、前記蓋３を前記箱体２に固定するように構成され、前記弾性部材４０を前記弾力材２４側に押して前記弾力材２４への押圧力をほぼ解除することにより、前記蓋３を前記箱体２から取り外すことができるように構成されたこと、を特徴とする収容ボックス１が提供される。
【００１２】
このような収容ボックス１において、箱体２に蓋３を装着する際には、蓋３に設けられた弾性部材４０を箱体２の外面に当てて押し付けることにより弾性変形させながら、蓋３の周縁部を箱体２の上端部側へ押しやり、その対向面に弾力材２４を介した状態で引っ掛けるようにして固定する。このとき弾力材２４は外側からの挟持力によって弾性変形するが、これら弾力材２４と弾性部材４０の弾性反力により、蓋３は箱体２の開口部を覆いつつその箱体２にしっかりと固定される。
【００１３】
また、箱体２から蓋３を取り外す際には、弾性部材４０を弾力材２４側に押して弾力材２４への押圧力をほぼ解除した上で、蓋３の周縁部を箱体２の上端部から離間させるようにすることで、蓋３を取り外すことができる。すなわち、蓋３を引っ張ることにより蓋３を箱体２から力ずくで取り外すのではなく、蓋３に外側から押圧力を付与してその弾性的な嵌合状態を一旦ほぼ解除させた上で蓋３を箱体２から離間させる。このため、蓋３を箱体２から取り外す際に、蓋３に箱体からの離間に伴う反力が加わることもほとんどなく、蓋３の取り外しの際の勢いによって内部の収容物を散逸させてしまうといった問題を生じさせないようにすることができる。
【００１４】
また、蓋３の弾性部材４０を所定量押圧して箱体２との嵌合状態を解除させれば、蓋３を持ち上げるだけで箱体２から取り外すことができるため、スライドタイプのように取外しの際のスペースを必要としない。
【００１５】
さらに、箱体２と蓋３が着脱可能に構成されているため、内部の収容物を使用する場合など蓋３が不要となる場合には、蓋３を取り外して別の場所にまとめておくことができる。このため、例えば作業ラインにおいて収容ボックスを多数隣接して配置させた際に蓋３が邪魔になって隣接する収容ボックス１の取り扱いに支障をきたすといった問題も生じない。
【００１６】
また、箱体２の上端部と蓋３の箱体２よりも外側の周縁部との対向面の、弾力材２４が設けられていない側に、弾力材２４側に突出した鍔部３３が形成され、蓋３を箱体２に装着した際に、その鍔部３３が弾力材２４に食い込むようにして押圧力を付与するように構成すると、蓋３を箱体２に対してより強く固定することができる。
【発明の効果】
【００１７】
本発明の収容ボックスによれば、蓋に設けられた弾性部材を箱体の外面に当てて押圧しながら蓋を箱体に弾性的に組み付けるように構成される一方、弾性部材を押して蓋と箱体との嵌合状態を解除することによって蓋を箱体から容易に取り外すことができるように構成されている。すなわち、蓋に設けた弾性部材を押圧するという簡易な操作によって蓋を箱体から容易に脱着でき、蓋の開閉作業の効率化を図ることができる。
【発明を実施するための最良の形態】
【００１８】
以下、本発明の実施の形態を図面に基づいて詳細に説明する。
［第１の実施の形態］
まず、本発明の第１の実施の形態について説明する。図１は本発明の収容ボックスとしてのパーツボックスの概略構成を表す斜視図である。また、図２は当該パーツボックスの断面図であり、同図（Ａ）は図１のＡ−Ａ断面図であり、同図（Ｂ）は同図（Ａ）のＢ部拡大図であり、同図（Ｃ）は同図（Ａ）のＣ部拡大図である。
【００１９】
図１に示されるように、本実施の形態のパーツボックス１は、内部に部品等を収容する箱体２と、箱体２の上端部に形成された開口部を覆うように装着される蓋３とから構成されている。
【００２０】
図２に示されるように、箱体２は、ポリエチレン樹脂からなる直方体中空箱状の本体２１を有し、その本体２１の上端縁には、部分的に外方に突出したフランジ部２２と蓋３側に突出した突出部２３とが設けられ、そのフランジ部２２と突出部２３とが形成する角部に沿って断面長方形状の所定長さのポリエチレンフォーム２４（弾力材）が貼り付けられている。また、箱体２のポリエチレンフォーム２４が貼り付けられた側と対向する側の壁部２５は、外方に傾斜した形状をなしており、その幅方向中央の上部外面には、シート状のポリエチレンフォーム２６（第２の滑止部材）が貼り付けられている。
【００２１】
一方、蓋３は、ポリエチレン樹脂からなる板状の本体３１を有し、その本体３１の一つの周縁部には、上記ポリエチレンフォーム２４が貼り付けられた箱体２の突出部２３を挿通可能な長方形状の貫通孔３２が形成されている。この蓋３には、その貫通孔３２の底部においてポリエチレンフォーム２４側に突出した鍔部３３が形成されている。また、蓋３の貫通孔３２が位置する側とは反対側の周縁部には、ステンレス鋼板からなる断面Ｌ字状の板バネ４０が設けられている。この板バネ４０が配設される側の蓋３と箱体２との接合部は、上述のように箱体２の壁面が外方に傾斜しているために鋭角となっており、この板バネ４０は、蓋３が箱体２から外れているときにその屈曲部のなす角がその蓋３と箱体２との接合部のなす鋭角よりも小さな角度になるように形成されている。すなわち、板バネ４０は、屈曲部を境にその一方が本体３１の周縁部に固定され、他方側が箱体２の傾斜した壁面側に延出している。この板バネ４０の先端部の箱体２との対向面には、シート状のポリエチレンフォーム４１（滑止部材）が貼り付けられており、箱体２側のポリエチレンフォーム２６と当接するように構成されている。これらポリエチレンフォーム４１とポリエチレンフォーム２６との間には、板バネ４０と箱体２とが直に接触した場合よりも大きな摩擦力が働くため、箱体２の蓋３からの滑り止めとなり、板バネ４０がその弾性反力によって箱体２から離脱することを防止する。
【００２２】
そして、蓋３を箱体２に装着した状態においては、板バネ４０の他端側が外方へやや弾性変形するとともに、蓋３の鍔部３３がポリエチレンフォーム２４に所定量食い込んでこれを弾性変形させている。蓋３は、これら板バネ４０及びポリエチレンフォーム２４の弾性反力により、箱体２にしっかりと固定される。また、蓋３と箱体２との接合部のなす角度及びそこに当接する板バネ４０の屈曲部の角度が鋭角に構成されているため、パーツボックス１を逆さまにしたとしても、一方で鍔部３３がポリエチレンフォーム２４に食い込んで係止され、他方でこの板バネ４０の他端側が箱体２の外面に載置されるように密着するため、蓋３が脱落するのを防止することができる。
【００２３】
尚、本実施の形態において、板バネ４０は、縦弾性係数が約１６７×１０3Ｎ／ｍｍ3のＳＵＳ３０４−ＣＳＰからなり、その厚さが約０．２ｍｍ，幅が約２０ｍｍ，箱体２側へ延出する長さが約２０ｍｍに形成されおり、ポリエチレンフォーム２４には圧縮強さが１００ｋＰａのものが使用されている。一方、蓋３の鍔部３３は、その厚さが約０．２ｍｍ，ポリエチレンフォーム２４側への突出長さが約１．５ｍｍに形成されている。そして、蓋３を箱体２に装着した状態において板バネ４０による押圧荷重が約４．６Ｎとなるように構成されている。
【００２４】
次に、図３に基づいて蓋３の箱体２への取り付け方法について説明する。
まず、同図（Ａ）に示すように、蓋３が取り付けられていない状態の箱体２の内部に、収容物としての部品Ｐを投入する。
【００２５】
続いて、同図（Ｂ）に示すように、板バネ４０のポリエチレンフォーム４１を箱体２側のポリエチレンフォーム２６の所定位置に当接させた状態で、板バネ４０を箱体２側に押圧して弾性変形させながら、蓋３を板バネ４０側の端部を中心に回動させつつ箱体２の開口部を覆うように被せていく。そして、蓋３の周縁部に形成された貫通孔３２が突出部２３及びポリエチレンフォーム２４に対向したところで板バネ４０をさらにポリエチレンフォーム２４側に押圧し、ポリエチレンフォーム２４が貼り付けられた突出部２３を貫通孔３２に挿通して引っ掛け、蓋３が完全に閉じたところで板バネ４０への押圧力を解除する。
【００２６】
このとき、蓋３の鍔部３３が箱体２側のポリエチレンフォーム２４に食い込んで係止される一方、同図（Ｃ）に示すように、板バネ４０にはその屈曲部を押し広げる方向の弾性力が加わっている。その結果、これら板バネ４０及びポリエチレンフォーム２４の弾性反力により、蓋３が箱体２にしっかりと固定される。
【００２７】
次に、図４に基づいて蓋３の箱体２からの取り外し方法について説明する。
まず、同図（Ａ）に示すように、上述のようにして箱体２に装着された蓋３の板バネ４０を、ポリエチレンフォーム２４側に押圧する。このとき、この押圧力により図示のように箱体２の傾斜した側壁が多少撓んでもかまわない。
【００２８】
そして、この押圧によって鍔部３３によるポリエチレンフォーム２４への押圧力をほぼ解除した状態で、同図（Ｂ）に示すように、蓋３の周縁部を掴んで板バネ４０側の端部を中心に回動させるようにして引き上げていく。このとき、図５に示すように、鍔部３３は、蓋３を箱体２から離間させる過程で下方に撓むように弾性変形し、食い込み状態を解除しつつポリエチレンフォーム２４に当接しながら引き上げられていく。このようにして突出部２３を貫通孔３２から離脱させると、蓋３は箱体２から分離して簡単に外れる。
【００２９】
こうして蓋３を箱体２から取り外した後、図４（Ｃ）に示すように、内部の部品Ｐを外部に取り出すことができる。
以上に説明したように、本実施の形態のパーツボックス１においては、蓋３に設けられた板バネ４０を箱体２の外面に当てて押圧しながら蓋３を箱体２に弾性的に組み付けるように構成される一方、板バネ４０を押して蓋３と箱体２との嵌合状態を解除することによって蓋３を箱体２から容易に取り外すことができるように構成されている。すなわち、蓋３に設けた板バネ４０を押圧するという簡易な操作によって蓋３を箱体２から容易に脱着でき、蓋３の開閉作業の効率化を図ることができる。
【００３０】
また、蓋３を箱体２から取り外す際には、蓋３に箱体２からの離間に伴う反力が加わることもほとんどなく、蓋３の取り外しの際の勢いによって内部の収容物を散逸させてしまうこともない。
【００３１】
さらに、蓋３の脱着が板バネ４０の押圧操作による嵌合部の係脱により行われるため、蓋３の開閉に際して大きなスペースを必要としない。このため、例えば作業ラインにおいてパーツボックス１を多数隣接して配置させた際に蓋３が邪魔になって隣接するパーツボックス１の取り扱いに支障をきたすこともない。
【００３２】
尚、上記では述べなかったが、蓋３を外した後に箱体２に収容した部品の種類が分かるように、箱体２にフックなどを設け、その部品の種類を記したチケットを差して表示するようにしてもよい。
【００３３】
また、本実施の形態では、図２に示したように、板バネ４０が取り付けられる側の箱体２の壁部２５を外方に傾斜した形状としたが、図６に示すように、この壁部２５を本体２１に対して直角になるように構成してもよい。ただし、板バネ４０の脱落防止の観点からは、壁部２５の板バネ４０が当接する部分が、部分的にでも外方に傾斜した構成の方が好ましい。
【００３４】
［第２の実施の形態］
次に、本発明の第２の実施の形態について説明する。図７は本実施の形態にかかるパーツボックスの概略構成を表す断面図であり、同図（Ａ）は図２（Ａ）に対応した断面図であり、図７（Ｂ）は同図（Ａ）のＤ部拡大図である。
【００３５】
尚、本実施の形態は、箱体及び蓋のそれぞれの嵌合部の構造を除いては上記第１の実施の形態の構成とほぼ同様であるため、同様の構成部分については同一の符号を付す等してその説明を省略する。
【００３６】
図７に示すように、本実施の形態のパーツボックス２０１においては、蓋２０３に第１の実施の形態のような貫通孔３２は設けられておらず、その本体２３１の周端縁の先端から下方に係止部２３２が突出して設けられている。尚、この係止部２３２は、蓋２０３の幅方向の中央に所定の長さで設けられている。
【００３７】
一方、箱体２０２の本体２２１において、板バネ４０が取り付けられる側と対向する側の外面における上端開口部近傍には、ポリエチレンフォーム２４（弾力材）が貼り付けられている。
【００３８】
そして、蓋２０３の係止部２３２において、箱体２０２の本体２２１に対向する面の下端部には、ポリエチレンフォーム２４側に突出した鍔部３３が形成されており、蓋２０３を箱体２０２に装着した状態においては、板バネ４０の他端側が外方へやや弾性変形するとともに、蓋２０３の鍔部３３がポリエチレンフォーム２４に所定量食い込んでこれを弾性変形させる。蓋２０３は、これら板バネ４０及びポリエチレンフォーム２４の弾性反力により、箱体２０２にしっかりと固定される。
【００３９】
本実施の形態においても、蓋２０３に設けた板バネ４０を押圧するという簡易な操作によって、蓋２０３を箱体２０２から容易に脱着することができる。その結果、第１の実施の形態と同様の効果を得ることができる。
【００４０】
以上、本発明の好適な実施の形態について説明したが、本発明はその特定の実施の形態に限定されるものではなく、本発明の精神の範囲内での変化変形が可能であることはいうまでもない。
【００４１】
例えば、上記各実施の形態では、蓋３，２０３に板バネ４０を一つ設けた構成を示したが、蓋３，２０３の幅方向に複数の板バネを設けた構成としてもよい。或いは、多少複雑になるが、板バネではなく、蓋の形状を工夫してコイルバネその他の弾性体をこれに固定し、箱体２，２０２を外方から押圧する構成としてもよい。
【００４２】
さらに、上記各実施の形態では、板バネ４０とこれが当接する箱体２，２０２の外面の双方に滑り止め用のポリエチレンフォーム４１，２６を設けた例を示したが、十分な摩擦が得られる場合には、いずれか一方の側にのみポリエチレンフォーム等の滑り止め部材を設けるようにしてもよい。
【００４３】
また、上記各実施の形態では、箱体２，２０２側にポリエチレンフォーム２４を設け、蓋３，２０３側に鍔部３３を設けた例を示したが、箱体２，２０２側に鍔部を設け、蓋３，２０３側にポリエチレンフォーム等の弾力材を設けるようにしてもよい。また、鍔部や弾力材の形状や数も上述したものに限らず、適宜選択できることはもちろんである。
【００４４】
また、上記各実施の形態では、弾力材や弾性部材としてポリエチレンフォームを用いた例を示したが、ゴム等の樹脂材により形成することもできる。ただし、蓋３，２０３を箱体２，２０２に固定するためには弾性変形しやすい材料がよく、その観点からは、比較的やわらかくて弾性変形するポリエチレンフォームやウレタンフォーム等の材料を用いるのが好ましい。
【００４５】
さらに、上記各実施の形態では、部品Ｐを収容するパーツボックス１，２０１について説明したが、部品以外の小物等を収容する収容ボックスであっても、本発明の効果を得ることができる。
【００４６】
（付記１）内部に収容部を構成する箱状の本体の上端に開口部を有する箱体と、前記開口部を覆うように前記箱体の上端部に着脱可能に装着される蓋とを備えた収容ボックスであって、
前記箱体の上端部と前記蓋の前記箱体よりも外側の周縁部とにそれぞれ設けられた対向面のいずれか一方に、弾性変形可能な弾力材が設けられる一方、
前記弾力材と離れた前記蓋の周縁部に、前記箱体の方向に延びてその箱体の外面に当接可能な弾性部材が設けられ、
前記蓋の前記弾力材が位置する周縁部と前記弾性部材とにより、前記箱体の上端部を外側から内方に付勢して前記弾力材を弾性変形させ、前記蓋により前記箱体を挟持するようにして、前記蓋を前記箱体に固定するように構成され、
前記弾性部材を前記弾力材側に押して前記弾力材への押圧力をほぼ解除することにより、前記蓋を前記箱体から取り外すことができるように構成されたこと、
を特徴とする収容ボックス。
【００４７】
（付記２）前記箱体の上端部と前記蓋の前記箱体よりも外側の周縁部との対向面の、前記弾力材が設けられていない側に、前記弾力材側に突出した鍔部が形成され、
前記蓋を前記箱体に装着した際に、前記鍔部が前記弾力材に食い込むようにして押圧力を付与するように構成されたこと、
を特徴とする付記１記載の収容ボックス。
【００４８】
（付記３）前記鍔部は、前記蓋を前記箱体から離間させる過程で弾性変形し、前記食い込み状態を解除しつつ前記弾力材に当接するように、その形状及び厚みが設定されていることを特徴とする付記２記載の収容ボックス。
【００４９】
（付記４）前記弾性部材は断面Ｌ字状の板バネからなり、その板バネの屈曲部のなす角が、その板バネが当接する前記蓋と前記箱体との接合部のなす角以下となるように構成されたことを特徴とする付記１記載の収容ボックス。
【００５０】
（付記５）前記板バネが当接する前記蓋と前記箱体との接合部のなす角が鋭角となるように、前記箱体の少なくとも一部が傾斜して構成されたことを特徴とする付記４記載の収容ボックス。
【００５１】
（付記６）前記板バネの前記箱体との当接面に、前記箱体との摩擦力を高めるための滑止部材が設けられたことを特徴とする付記４記載の収容ボックス。
（付記７）前記箱体の前記板バネに設けられた滑止部材との当接面に、さらにその滑止部材との摩擦力を高めるための第２の滑止部材が設けられたことを特徴とする付記６記載の収容ボックス。
【００５２】
（付記８）前記箱体が、前記開口部を形成する上端部に前記蓋側に突出して設けられた突出部と、前記突出部に固定された前記弾力材とを備える一方、
前記蓋が、前記箱体の上端部との対向面を形成するとともに、前記突出部及び前記弾力材を挿通可能な貫通孔を備え、
前記貫通孔に前記突出部を挿通させつつ前記蓋を前記箱体に装着して、前記蓋の前記貫通孔の部分と前記弾性部材とにより前記箱体の上端部を外側から内方に付勢しつつ前記弾力材を弾性変形させることで、前記蓋を前記箱体に固定するように構成され、
前記弾性部材を前記弾力材側に押して前記弾力材への押圧力をほぼ解除することにより、前記突出部を前記貫通孔から離脱させて、前記蓋を前記箱体から取り外すことができるように構成されたこと、
を特徴とする付記１記載の収容ボックス。
【００５３】
（付記９）前記蓋の前記貫通孔の部分に、挿通した前記弾力材側に突出した鍔部が形成され、
前記蓋を前記箱体に装着した際に、前記鍔部が前記弾力材に食い込むようにして押圧力を付与するように構成されたこと、
を特徴とする付記８記載の収容ボックス。
【００５４】
（付記１０）前記鍔部は、前記蓋を前記箱体から離間させる過程で弾性変形し、前記食い込み状態を解除しつつ前記弾力材に当接するように、その形状及び厚みが設定されていることを特徴とする付記９記載の収容ボックス。
【００５５】
（付記１１）前記弾性部材は断面Ｌ字状の板バネからなり、その板バネの屈曲部のなす角が、その板バネが当接する前記蓋と前記箱体との接合部のなす角以下となるように構成されたことを特徴とする付記８記載の収容ボックス。
【００５６】
（付記１２）前記板バネが当接する前記蓋と前記箱体との接合部のなす角が鋭角となるように、前記箱体の少なくとも一部が傾斜して構成されたことを特徴とする付記１１記載の収容ボックス。
【００５７】
（付記１３）前記板バネの前記箱体との当接面に、前記箱体との摩擦力を高めるための滑止部材が設けられたことを特徴とする付記１１記載の収容ボックス。
（付記１４）前記箱体の前記板バネに設けられた滑止部材との当接面に、さらにその滑止部材との摩擦力を高めるための第２の滑止部材が設けられたことを特徴とする付記１３記載の収容ボックス。
【図面の簡単な説明】
【００５８】
【図１】第１の実施の形態にかかるパーツボックスの概略構成を表す斜視図である。
【図２】第１の実施の形態のパーツボックスの断面図である。
【図３】第１の実施の形態のパーツボックスを構成する蓋の箱体への取り付け方法を表す説明図である。
【図４】第１の実施の形態のパーツボックスを構成する蓋の箱体からの取り外し方法を表す説明図である。
【図５】第１の実施の形態のパーツボックスを構成する蓋の箱体からの取り外し方法を表す説明図である。
【図６】第１の実施の形態の変形例にかかるパーツボックスの概略構成を表す斜視図である。
【図７】第２の実施の形態にかかるパーツボックスの概略構成を表す断面図である。
【図８】従来のパーツボックスの概略構成を表す斜視図である。
【図９】従来のパーツボックスの断面図である。
【符号の説明】
【００５９】
１，２０１  パーツボックス
２，２０２  箱体
３，２０３  蓋
２３  突出部
２４，２６，４１  ポリエチレンフォーム
３２  貫通孔
３３  鍔部
４０  板バネ
２３２  係止部
Ｐ  部品
【図１】
2005206208.tif 000003
【図２】
2005206208.tif 000004
【図３】
2005206208.tif 000005
【図４】
2005206208.tif 000006
【図５】
2005206208.tif 000007
【図６】
2005206208.tif 000008
【図７】
2005206208.tif 000009
【図８】
2005206208.tif 000010
【図９】
2005206208.tif 000011